(57)【要約】      （修正有）【課題】搦み織縁装置の昇降綜絖のＸ型にポジションを回避される，搦み織縁装置を提供する。【解決手段】２つの昇降綜絖１０，２０および１つの半綜絖を有し、その際、昇降綜絖１０，２０が上端部および下端部にそれぞれ１つの固定要素１３，２３；１４，２４を有し、その際、昇降綜絖１０，２０が下端部の範囲内で半綜絖の足部用に少なくとも１つの磁石を有する、搦み織縁を形成するための装置１において、この場合、上端部の範囲のそれぞれの昇降綜絖１０，２０が少なくとも１つの磁石１８，２８を有し、その際、搦み織縁装置の２つの昇降綜絖１０，２０の磁石１８，２８の極性が、これら磁石が引き合う形になっているということを特徴とする、搦み織縁を形成するための装置。【選択図】図１
2004190213.tif 000002
【特許請求の範囲】
【請求項１】
２つの昇降綜絖（１０，２０）および１つの半綜絖（３０）を有し、その際、該昇降綜絖（１０，２０）が上端部および下端部にそれぞれ１つの固定要素（１３，２３；１４，２４）を有し、その際、該昇降綜絖（１０，２０）が下端部の範囲内で半綜絖（３０）の足部（３１ａ，３２ａ）用に少なくとも１つの磁石を有する、搦み織縁を形成するための装置（１）において、
上端部の範囲のそれぞれの昇降綜絖（１０，２０）が少なくとも１つの磁石（１８，２８）を有し、その際、搦み織縁装置の２つの昇降綜絖（１０，２０）の磁石（１８，２８）の極性が、これら磁石が引き合う形になっているということを特徴とする、搦み織縁を形成するための装置。
【請求項２】
昇降綜絖（１０，２０）が上側と下側の脚部（１１，２１；１２，２２）を有し、その際、それぞれの脚部が末端部に固定要素（１３，２３；１４，２４）を有し、その際、上側の脚部から固定要素への移行の範囲内に少なくとも１つの磁石（１８，２８）が配置されていることを特徴とする、請求項１に記載の装置。
【請求項３】
一方の昇降綜絖（１０）が上の脚部（１１）から固定要素（１３）への移行範囲にストッパ（１９）を有し、その際、少なくとも１つの磁石（１８）がストッパ（１９）に配置されていることを特徴とする、請求項２に記載の装置。
【請求項４】
もう一方の昇降綜絖（２０）が上の脚部（２１）から固定要素（２３）への移行の範囲に反っている部分（２９）を有し、その際、少なくとも１つの磁石（２８）がこの反っている部分（２９）に配置されていることを特徴とする、請求項２に記載の装置。
【請求項５】
それぞれの昇降綜絖（１０，２０）は下側の脚部（１２，２２）に範囲に半綜絖（３０）の脚部（３１，３２）の受入れのためのスリット（１２ａ，２２ａ）を有し、その際、昇降綜絖が下側の脚部（１２，２２）から固定要素（１４，２４）への移行の範囲内のスリットの両側に重なり合ってそれぞれ２つの磁石（１５，１６；２５，２６）を有し、その際、搦み織縁装置のそれぞれの昇降綜絖の磁石の極性が、２つの昇降綜絖（１０，２０）の磁石（１５，１６；２５，２６）が引き合う形になっていることを特徴とする、請求項２に記載の装置。
【請求項６】
２つの下側の磁石のペア（１５，１６；２５，２６）の極性の方向づけが異なっており、そのことによって半綜絖（３０）の足部（３１ａ，３２ａ）と結合して、閉じた磁石の輪が得られることを特徴とする、請求項５に記載の装置。
【請求項７】
下側の脚部（１２，２２）に配置された磁石（１５，１６；２５，２６）の下に、半綜絖（３０）の足部のためのベッド部（１７，２７）が設けられており、このベッド部はその形状が半綜絖（３０）の足部（３１ａ，３２ａ）の下端部に相応することを特徴とする、請求項５に記載の装置。
【請求項８】
下側の磁石（１６，２６）がその上に配置された磁石より小さいことを特徴とする、請求項５に記載の装置。
【発明の詳細な説明】
【技術分野】
【０００１】
本発明は、２つの昇降綜絖（Ｈｅｂｅｌｉｔｚｅ）および１つの半綜絖（Ｈａｌｂｌｉｔｚｅ）を有し、その際、該昇降綜絖が上端部および下端部にそれぞれ１つの固定要素を有し、その際、該昇降綜絖が下端部の範囲内で半綜絖の足部用に少なくとも１つの磁石を有する、搦み織縁（Ｄｒｅｈｅｒｋａｎｔｅ）を形成するための装置に関する。
【背景技術】
【０００２】
冒頭に記載の種類の、独国実用新案第２９７０３８９６号明細書に記載された搦み織縁装置は、すでに述べたように、２つの昇降綜絖とそれぞれの場合に交互に一方の昇降綜絖によって連行される半綜絖から成る。昇降綜絖自体は綜絖枠の綜絖キャリヤレール（Ｌｉｔｚｅｎｔｒａｇｓｃｈｉｅｎｅ）あるいは綜絖枠自体に取り付けられている。半綜絖は原則的にＵ字形の形状が特徴であり、その際、２本の脚部は上端部でステイヤースレッド（Ｓｔｅｈｅｒｆａｄｅｎ）を通すための穴に移行する。半綜絖の脚部は下端部に半綜絖足部を有する。昇降綜絖自体は２本の脚部、即ち下側および上側の脚部、が特徴であり、その際、末端側で各昇降綜絖は、綜絖キャリヤレールないしは綜絖枠による受入れのための固定要素を示す。下側の脚部にはこの場合には半綜絖の脚部を通すためのスリットが設けられている。下部の脚部の下側の範囲でスリットの両側に相互に配置された磁石が備えられ、この磁石は、一方の昇降綜絖からもう一方の昇降綜絖への半綜絖の移行の際の半綜絖の制動のために使われ、かつさらに半綜絖をそれぞれの場合に制御する目的を有する。制御とはこの場合、半綜絖が該半綜絖をそれぞれの場合に連行する昇降綜絖によって確実に把持されることと理解される。搦み織糸（Ｄｒｅｈｅｒｆａｄｅｎ）は、半綜絖の脚部と対応する昇降綜絖の脚部の間を交互に右にあるいは左にたどって走る。それぞれの場合に昇降綜絖の下部に磁石を有する、公知技術水準から公知のこの搦み織縁装置の場合には磁石の極性は、２つの昇降綜絖が反発する形になっていた。このことの結果は、搦み織縁装置の２つの昇降綜絖が互いにｘ脚状になっているということである。このｘ脚状のポジションのために、同じく半綜絖は緊張下におかれている。半綜絖はこの場合、上方に移動しようとする傾向を示す。これは、特にステイヤースレッドが裂ける場合に、高速の織機の場合には、即ち非常に高い緯糸数（Ｓｃｈｕｓｓｚａｈｌ）を有する機械の場合には、極めて短時間のうちに半綜絖がもはや磁石によって保持されずに上昇して結果的に昇降綜絖によって把持されることができず、さらに結果的に機械の中に落ちるという危険があることを意味する。例えば糸切れが即座に気付かれないために、機械を直接止められることができない場合には、このことが機械にかなりの損害をもたらす可能性がある。上記の危険は、既述のように、特に、高速の機械に存在する。しかしながら、このような現象がすでに、中程度の緯糸数でのみ作動する機械においても確認された。
【発明の開示】
【発明が解決しようとする課題】
【０００３】
従って本発明の課題は、搦み織縁装置の昇降綜絖のｘ形の ポジションが回避される、冒頭に記載の種類の搦み織縁装置を提供することである。
【課題を解決するための手段】
【０００４】
上記の課題は、本発明によれば、上端部の範囲のそれぞれの昇降綜絖が少なくとも１つの磁石を有し、その際、搦み織縁装置の２つの昇降綜絖の磁石の極性が、これら磁石が引き合う形になっているということによって解決される。搦み織縁装置の２つの昇降綜絖がすでに上端部の範囲でそれらの前面に互いに当たることが保証されているなら、下側の範囲においても、これら昇降綜絖がすでに前記ｘ形のポジションに移行するというわずかな危険のみが存在する。昇降綜絖の下側の範囲の中の磁石が下側の脚部から固定要素への移行の範囲内で、ここでも搦み織縁装置の昇降綜絖が引き合う極性を示す場合には特に、このようなｘ形の昇降綜絖の方向づけを前記のような形では懸念する必要はない。このことは、高い緯糸数の場合でさえ、搦み織縁装置の昇降綜絖の脚部が常に互いに平行になっており、従って半綜絖の上昇の危険は破壊されたステイヤースレッドの場合でさえ回避され、そしてＨｅｂｅｌｉｔｚｅｎ の平行な方向づけゆえの半綜絖の負荷も本質的に減らされている。
【０００５】
さらに、特に搦み織縁装置から落ちた半綜絖の結果として生ずる損傷が本質的に減少させることができたことが判明した。
【０００６】
さらなる有利な特徴がサブクレームに記載されている。
【０００７】
特に、上側の脚部から固定要素への移行の範囲で、昇降綜絖がストッパを有し、その際、少なくとも１つの磁石が該ストッパ内に配置されている。このストッパは、綜絖枠ないしは綜絖キャリヤレールにおける昇降綜絖の安定した固定を保証するために綜絖キャリヤレールないしは綜絖枠のためのリミッタとして使用される。もう一方の昇降綜絖は、上の脚部から固定要素への移行の範囲に反っている部分を有し、その際、少なくとも１つの磁石がこの反っている部分に配置されている。このことから、それぞれの昇降綜絖の上の範囲に配置された磁石どうしが徹底してただ小さな距離だけを有することによって、これら磁石が結果として、昇降綜絖が磁石の引力によって常に引き合わせることができるのは明らかである。
【０００８】
さらにもう１つの本発明の特徴によれば、下側の脚部のそれぞれの昇降綜絖が半綜絖の脚部の受入れのためのスリットを有し、その際、昇降綜絖が下側の脚部から固定要素への移行の範囲内のスリットの両側に重なり合ってそれぞれ２つの磁石を有し、その際、搦み織縁装置のそれぞれの昇降綜絖の磁石の極性が、２つの昇降綜絖の磁石が引き合う形になっている。即ち、昇降綜絖の上側の範囲だけではなく下側の範囲でも昇降綜絖は引き合うので、従っていずれの場合にも昇降綜絖の平行な方向づけが保証されている。
【０００９】
特にそれらの極性を考慮した磁石の上記のような配置によって、２つの隣接する搦み織縁装置が２つの昇降綜絖を反発することがさらに達成される。即ち、磁力に応じて２つの隣接する昇降綜絖の間には、搦み織縁装置の昇降綜絖が隣接する搦み織縁装置の昇降綜絖にて摩擦することを妨げる距離が常に存在する。この摩擦とこれに伴って生ずる摩耗が十分に回避される。
【００１０】
本発明のもう１つの特徴によれば、２つの下側の磁石のペアの極性の方向づけが異なっており、そのことによって、全部の半綜絖と同様に、磁化可能な材料から成る半綜絖の足部と結合して、閉じた磁石の輪が得られる。この下側の磁石はこの場合には、その上に配置された磁石より小さくともよく、それというのも、この磁石はただ、昇降綜絖への打込みに対する付加的な保護の役割を有するからである。即ち、昇降綜絖の下側の範囲に、即ち下側の脚部に配置された２つの磁石は、半綜絖が半綜絖の足部をつかみかつ該半綜絖をそれらの動きでこれにより制動するか、あるいはさらに半綜絖の足部を固定することによっても、一方の昇降綜絖からもう一方の昇降綜絖への移行の際に半綜絖に制御しながら作用する形での半綜絖の制動に使用される。
【００１１】
さらに下側の脚部に配置された磁石の下に、半綜絖の足部のためのベッド部が設けられており、このベッド部はその形状が半綜絖の足部の下端部に相応する。どの理由であれ、一方の昇降綜絖からもう一方の昇降綜絖への移行の際に半綜絖を制動するのに磁力が常に十分ではない場合には、このベッド部は結果として半綜絖の受入れと制動に使用される。
【００１２】
次に図面を参照し本発明の例を詳説する。
【発明を実施するための最良の形態】
【００１３】
搦み織縁装置１は、２つの昇降綜絖１０および２０ならびにこの半綜絖３０を含む。各昇降綜絖１０，２０は上側の脚部１１，２１ならびに下側の脚部１２，２２を示し、その際、各脚部に固定要素１３，２３ないしは１４，２４が続いており、これら固定要素によって昇降綜絖が織機の綜絖キャリヤレールに固定されている。昇降綜絖１０，２０は、３０と符合された半綜絖を受け入れる。昇降綜絖および半綜絖を有する、搦み織縁装置を用いた搦み織縁の製造の原理は、十分に公知である。これに関連して独国特許第３８１８６８０号明細書または独国実用新案第２９７０３８９６号明細書が参照され、これら文献にはともに搦み織縁装置の製造方法が記載されている。前記半綜絖３０は、末端の足部３１ａ，３２ａを伴った２つの脚部３１，３２を有する。前記昇降綜絖１０，２０は、それぞれスリット１２ａないしは２２ａの範囲内に座１２ｂのないしは２２ｂを示し、この座に、ステイヤースレッドのための穴３５の範囲内のＵ字形の端部（矢印３４）をもつ半綜絖が当たる。これにより脚部３１ないしは３２の長さは、座１２ｂないしは２２ｂから２つの磁石１５，１６ないしは２５，２６までの距離をもって、これらが半綜絖３０の足部３１ａないしは３２ａを把持しなくてはならないという点で修正される。磁石１５，１６ならびに２５，２６の配置は明確に図２に示されており；この場合には、上の２つの磁石１５，２５は下の磁石１６，２６より大きいことがわかり；このことはさらにいっそう重要であり；それはそれぞれに２つの磁石のペアが互いに逆に極性されている。このことにより、半綜絖の足部３１ａないしは３２ａと結合する形で閉じた磁石の輪（Ｍａｇｎｅｔｔｋｒｅｉｓ）が得られ、このことは、殊に昇降綜絖をそれぞれの場合に連動する昇降綜絖中への沈み込みの場合の昇降綜絖の制動に関連して、これにより持続的に半綜絖が制動されるという点で非常に有利であることが判明した。万一磁力が半綜絖の制動にとって完全に不十分である場合には、磁石１６，２６の下に、半綜絖３０の足部３１ａ，３２ａの下端部の形状に対応して三角形になっているベッド部１７，２７が１つずつ設けられる。このベッド部１７，２７の機能はもっぱら、半綜絖を途中で捕捉することであり、その結果、矢印３４の範囲内の該半綜絖の上端部が座１２ｂないしは２２ｂに当たらない。
【００１４】
今回、昇降綜絖の磁石１５，１６の方向づけおよびこれに対応するもう一方の昇降綜絖２０の磁石２５，２６の方向づけによって２つの昇降綜絖１０，２０がこの磁石１５，２５ないしは１６，２６によって引き付けられることが重要な点である。これに関連して昇降綜絖１０，２０の上端部を観察すると、そこにも磁石１８，２８が設けられていることがわかり；その際、磁石１８はストッパ１９の範囲に配置されており、磁石２８は反っている部分２９の範囲に配置されている。この場合にも磁石１８および２８の極性は、これら磁石が引き合うように選択されている。磁石の方向づけの結果として、昇降綜絖がこの引き合うことを通して上端部および下端部においていずれの場合にも互いに平行であり、そして、下部の磁石が反発しあう場合がそうであるように、公知技術水準のように場合によってｘ形のポジションをとることはないことが確定されなければならない。
【００１５】
詳細には磁石の極性は、図４ａ，４ｂと５ａ，５ｂから明らかである。特に、同じくこれらの図から、それぞれ２つの昇降綜絖と半綜絖を含む２つの隣接する搦み織縁装置においてそれぞれの場合に一方の搦み織縁装置の昇降綜絖が、磁石の極性に基づいて、隣接する搦み織縁装置の昇降綜絖と反発するのがわかる。即ち、２つの隣接する搦み織縁装置の昇降綜絖が互いを摩擦することはまったくないことが保証されていて、これにより摩耗が本質的に減少する。
【図面の簡単な説明】
【００１６】
【図１】側面図で搦み織縁装置の２つの昇降綜絖を示す；
【図２】図１の線ＩＩ−ＩＩに従った図を示す；
【図３】半綜絖の図を示す；
【図４】ａは下側の磁石を含む一方の昇降綜絖の部分図を示し、ｂはａの線ＩＶｂに従った断面を示す；
【図５】ａはもう一方の昇降綜絖の、図４ａに従った図を示し、ｂはａの線Ｖｂに従った断面を示す。
【図１】
2004190213.tif 000003
【図２】
2004190213.tif 000004
【図３】
2004190213.tif 000005
【図４】
2004190213.tif 000006
【図５】
2004190213.tif 000007